(57)【要約】【課題】  前面ドアの円滑な開閉を確保しながら、商品詰まりを防止することができる自動販売機を提供する。【解決手段】前面が開口した販売機本体２と、販売機本体２内に設けられた商品収納払出し装置５Ａと、販売機本体２の左右方向の一端部に回動軸３１ａを中心として回動自在に取り付けられたメインドア３と、その背面側に設けられ、メインドア３が閉鎖された状態で、販売機本体２に収容されるとともに商品収納払出し装置５Ａに対向し、商品収納払出し装置５Ａとの間に商品収納払出し装置５Ａから払い出された商品Ｓを下方へ案内する商品通路１０を画成するためのコラムドア４１と、メインドア３の開閉に伴って作動するスライダ１６と、メインドア３が閉鎖されたときに、スライダ１６により、販売機本体２の右側壁４ａとコラムドア４１との間でコラムドア４１の延長線に沿って延びる通路画成位置に駆動される移動自在の可動壁１５と、を備えている。【選択図】  図５
2005258963.tif 000002
【特許請求の範囲】
【請求項１】
前面が開口した販売機本体と、
この販売機本体の内部に設けられ、複数の商品を収納するとともに、販売時に商品を前方へ払い出す商品収納払出し装置と、
前記販売機本体の左右方向の一端部に、上下方向に延びる軸線を中心として回動自在に取り付けられ、前記販売機本体の前面を開閉する前面ドアと、
この前面ドアの背面側に設けられ、前記前面ドアが閉鎖された状態で、前記販売機本体に収容されるとともに前記商品収納払出し装置に対向し、当該商品収納払出し装置との間に当該商品収納払出し装置から払い出された商品を下方へ案内する商品通路を画成するためのドア背壁と、
前記前面ドアの開閉に伴って作動する可動壁駆動部と、
前記前面ドアが閉鎖されたときに、前記可動壁駆動部により、前記販売機本体の前記前面ドアの自由端に対向する側壁と前記ドア背壁との間で当該ドア背壁の延長線に沿って延びる通路画成位置に駆動される移動自在の可動壁と、
を備えていることを特徴とする自動販売機。
【請求項２】
前記可動壁駆動部は、前記前面ドアが閉鎖されたときに、当該前面ドアによって駆動され、前記可動壁を前記通路画成位置に駆動する駆動部材を有していることを特徴とする請求項１に記載の自動販売機。
【請求項３】
前記可動壁は、前記販売機本体の前記側壁の内面に、上下方向に延びる軸線を中心として回動自在に設けられ、前記前面ドアが開放された状態では、前記販売機本体の前記側壁の内面に沿うように延びており、
前記駆動部材は、前記販売機本体内にスライド自在に設けられるとともに、前記前面ドアが閉鎖されたときに、前記可動壁を押圧することにより、前記通路画成位置に駆動するスライダで構成されていることを特徴とする請求項２に記載の自動販売機。
【請求項４】
前記可動壁は、前記販売機本体の前記側壁の内面に、上下方向に延びる軸線を中心として回動自在に設けられ、前記前面ドアが開放された状態では前記販売機本体の前記側壁の内面に沿うように延びるとともに、前記前面ドアが閉鎖された状態では前記ドア背壁に前方から支持されるように構成され、
前記駆動部材は、前記販売機本体内にスライド自在に設けられるとともに、前記前面ドアが閉鎖されたときに、前記可動壁を押圧することにより、前記ドア背壁が前方から当接可能な位置に駆動するスライダで構成されていることを特徴とする請求項２に記載の自動販売機。
【請求項５】
前面が開口した販売機本体と、
この販売機本体の内部に設けられ、複数の商品を収納するとともに、販売時に商品を前方へ払い出す商品収納払出し装置と、
前記販売機本体の左右方向の一端部に、上下方向に延びる軸線を中心として回動自在に取り付けられ、前記販売機本体の前面を開閉する前面ドアと、
この前面ドアの背面側に設けられ、前記前面ドアが閉鎖された状態で、前記販売機本体に収容されるとともに前記商品収納払出し装置に対向し、当該商品収納払出し装置との間に当該商品収納払出し装置から払い出された商品を下方へ案内する商品通路を画成するためのドア背壁と、
前記販売機本体の前記前面ドアの自由端に対向する側壁の内面に、上下方向に延びる軸線を中心として、前記ドア背壁が前方から当接可能な当接位置と、前記前面ドアが閉鎖された状態の前記ドア背壁の延長線に沿って延びる通路画成位置との間で回動自在に設けられ、前記前面ドアが閉鎖されたときに、前記ドア背壁によって押圧されることにより、前記当接位置から前記通路画成位置に駆動される可動壁と、
この可動壁を前記当接位置に付勢する付勢手段と、
を備えていることを特徴とする自動販売機。
【発明の詳細な説明】
【技術分野】
【０００１】
本発明は、例えばたばこなどの箱型の商品を上下方向に積み重なった状態に収納し、販売する自動販売機に関する。
【背景技術】
【０００２】
従来、この種の自動販売機として、特許文献１に記載のものが知られている。この自動販売機は、前面が開口したボックス状の販売機本体と、この販売機本体の右端部に、上下方向に延びる軸線を中心として回動自在に取り付けられ、販売機本体の前面を開閉する前面ドアとを備えている。前者の内部および後者の背面側にはそれぞれ、多数の商品を上下方向に積み重なった状態に収納するとともに、販売時に商品を払い出す商品収納払出し装置が設けられている。具体的には、これらの商品収納払出し装置はいずれも、上下方向に延びるとともに、互いに左右方向に並設された複数列の商品コラムを有しており、各商品コラムの下端部、あるいはこれに加えて、上下方向の複数の所定位置に、商品コラムから商品を払い出す商品払出し装置が設けられている。また、両商品収納払出し装置はそれぞれ、複数の商品コラムの前面全体を開閉する平板状のコラムドアを有している。
【０００３】
このように構成された商品収納払出し装置には、各商品コラムの商品払出し装置の上側に、多数の商品が上下方向に積み重なった状態にかつ最下位の商品が商品払出し装置に載置された状態に収納される。そして、前面ドアを閉鎖した状態では、販売機本体側および前面ドア側のそれぞれの商品収納払出し装置の互いに対向するコラムドア間に、商品コラムから払い出された商品を下方へ案内する商品通路が画成される。つまり、各商品収納払出し装置のコラムドアは、上下方向に積み重なった状態の多数の商品を、商品コラムから勝手に出ないよう、商品コラム内に適切に収納した状態に保持するのに加えて、販売時に商品コラムから払い出された商品を円滑に下方へ案内する商品通路の通路壁としての役割を果たしている。
【０００４】
上記のように、販売機本体側および前面ドア側に商品収納払出し装置を有する自動販売機では、一般に、より多くの商品を収納するとともに上記のような商品通路を確保するために、販売機本体側の商品収納払出し装置は、左右方向の幅一杯にかつ販売機本体内の奥まった位置に配置される一方、前面ドア側の商品収納払出し装置は、背面側に張り出すように配置される。このような前面ドア側の商品収納払出し装置は、前面ドアが閉鎖された状態では、販売機本体内に収容される一方、前面ドアの開閉の際には、前面ドアとともに回動する。このような前面ドアを開閉させる場合、前面ドア側の商品収納払出し装置の自由端側が、これに対向する販売機本体の側壁付近を通過する際に、外方に膨らむように回動する。そのため、前面ドア側の商品収納払出し装置が販売機本体の上記側壁に当たらないよう、前面ドアの円滑な開閉を確保するために、前面ドア側の商品収納払出し装置は通常、前面ドアの自由端との間に所定間隔を隔てた状態に配置される。その結果、前面ドアを閉鎖した状態では、販売機本体の上記側壁と前面ドア側の商品収納払出し装置との間には、その商品収納払出し装置が販売機本体の側壁に当たるのを回避するためのいわゆる逃げスペースが形成される。
【０００５】
また、自動販売機内の商品収納払出し装置の下方には、商品通路を介して下方に案内された商品を、前面ドアの下部の商品取出口に案内するシュートが設けられている。商品取出口の左右方向の幅が商品通路のそれよりも短い場合には、商品通路を介してシュートに達した商品を、さらに商品取出口に案内するために、シュートの側壁が、販売機本体の内方に向かって前下がりに傾斜するように構成される。したがって、シュートの側壁上に落下した商品は、その上を滑りながら、商品取出口に案内される。
【０００６】
前述したように、販売機本体側および前面ドア側の両コラムドアは、商品通路の通路壁として機能するものの、前面ドアの円滑な開閉の確保の観点から、前面ドア側の上記逃げスペースの部分に、商品収納払出し装置を配置しないようにしているため、前面ドアが閉鎖された状態の逃げスペースに対向する販売機本体側の商品コラムから払い出された商品を、コラムドアで案内することができない。そのため、逃げスペースに対向する販売機本体側の商品コラムから商品が払い出されると、その商品は逃げスペース内を落下し、下方のシュートの傾斜した側壁上に達することになる。この場合、シュートの側壁と前面ドア側の商品収納払出し装置との間の距離や、シュートの側壁上に達した商品の姿勢によっては、その側壁と、前面ドア側の商品収納払出し装置との間で、商品詰まりを生じるおそれがある。
【０００７】
もちろん、シュートの側壁と前面ドア側の商品収納払出し装置との間の距離を、商品の最大寸法よりも大きくすることによって、商品詰まりを回避することは可能である。しかしその場合には、前面ドア側の商品収納払出し装置の下端の位置をより高くする必要があり、その分、商品収納払出し装置に収納可能な商品数が減少するという問題がある。
【０００８】
本発明は、以上のような課題を解決するためになされたものであり、前面ドアの円滑な開閉を確保しながら、商品詰まりを防止することができる自動販売機を提供することを目的とする。
【０００９】
【特許文献１】特開平１０−２１４３７２号公報（図１〜図４）
【発明の開示】
【課題を解決するための手段】
【００１０】
本発明の請求項１に係る自動販売機は、前面が開口した販売機本体と、この販売機本体の内部に設けられ、複数の商品を収納するとともに、販売時に商品を前方へ払い出す商品収納払出し装置と、販売機本体の左右方向の一端部に、上下方向に延びる軸線を中心として回動自在に取り付けられ、販売機本体の前面を開閉する前面ドアと、この前面ドアの背面側に設けられ、前面ドアが閉鎖された状態で、販売機本体に収容されるとともに商品収納払出し装置に対向し、商品収納払出し装置との間に商品収納払出し装置から払い出された商品を下方へ案内する商品通路を画成するためのドア背壁と、前面ドアの開閉に伴って作動する可動壁駆動部と、前面ドアが閉鎖されたときに、可動壁駆動部により、販売機本体の前面ドアの自由端に対向する側壁とドア背壁との間でドア背壁の延長線に沿って延びる通路画成位置に駆動される移動自在の可動壁と、を備えていることを特徴とする。
【００１１】
この構成によれば、自動販売機の前面ドアは、販売機本体の左右方向の一端部の上下方向に延びる軸線を中心として回動することにより、販売機本体の前面を開閉する。前面ドアの背面側に設けられたドア背壁は、販売機本体に収容されるように構成されているので、前面ドアの開閉の際に、ドア背壁が販売機本体の前面ドアの自由端に対向する側壁（以下、本欄において「自由端側側壁」という）に当たることがなく、前面ドアの円滑な開閉を確保することができる。また、前面ドアが閉鎖されたときには、ドア背壁が販売機本体に収容されるとともに商品収納払出し装置に対向する一方、可動壁が、可動壁駆動部により、販売機本体の自由端側側壁とドア背壁との間で、ドア背壁の延長線に沿って延びる通路画成位置に駆動されるので、ドア背壁と可動壁との協働により、商品収納払出し装置との間に、商品収納払出し装置から払い出された商品を下方へ案内する商品通路が画成される。つまり、前面ドアが閉鎖された状態では、前述した逃げスペースが可動壁によって閉鎖され、この可動壁およびドア背壁によって、商品通路の通路壁が構成される。したがって、商品収納払出し装置から払い出された商品が、逃げスペースに払い出されることがなく、商品通路を介して、下方へ適切に案内され、その結果、商品詰まりを防止することができる。
【００１２】
請求項２に係る発明は、請求項１の自動販売機において、可動壁駆動部は、前面ドアが閉鎖されたときに、前面ドアによって駆動され、可動壁を通路画成位置に駆動する駆動部材を有していることを特徴とする。
【００１３】
この構成によれば、前面ドアが閉鎖されたときに、その前面ドアによって駆動される駆動部材により、可動壁が通路画成位置に駆動されるので、前面ドアを閉鎖するだけで、可動壁を通路画成位置に容易に移動させることができる。
【００１４】
請求項３に係る発明は、請求項２の自動販売機において、可動壁は、販売機本体の側壁の内面に、上下方向に延びる軸線を中心として回動自在に設けられ、前面ドアが開放された状態では、販売機本体の側壁の内面に沿うように延びており、駆動部材は、販売機本体内にスライド自在に設けられるとともに、前面ドアが閉鎖されたときに、可動壁を押圧することにより、通路画成位置に駆動するスライダで構成されていることを特徴とする。
【００１５】
この構成によれば、前面ドアが開放された状態では、可動壁が販売機本体の自由端側側壁の内面に沿うように延びているので、商品収納払出し装置への商品の補充の際に、可動壁が邪魔になることがなく、商品の補充を容易に行うことができる。また、前面ドアが閉鎖されたときに、前面ドアで駆動されたスライダがスライドし、上記軸線を中心として回動自在の可動壁を押圧することにより、この可動壁を通路画成位置に駆動するので、前面ドアの閉鎖に連動して、可動壁を通路画成位置に駆動する駆動部材を、構成が単純なスライダで容易に実現することができる。
【００１６】
請求項４に係る発明は、請求項２の自動販売機において、可動壁は、販売機本体の側壁の内面に、上下方向に延びる軸線を中心として回動自在に設けられ、前面ドアが開放された状態では販売機本体の側壁の内面に沿うように延びるとともに、前面ドアが閉鎖された状態ではドア背壁に前方から支持されるように構成され、駆動部材は、販売機本体内にスライド自在に設けられるとともに、前面ドアが閉鎖されたときに、可動壁を押圧することにより、ドア背壁が前方から当接可能な位置に駆動するスライダで構成されていることを特徴とする。
【００１７】
この構成によれば、前面ドアが開放された状態では、可動壁が販売機本体の自由端側側壁の内面に沿うように延びているので、商品収納払出し装置への商品の補充の際に、可動壁が邪魔になることがなく、商品の補充を容易に行うことができる。また、前面ドアが閉鎖されたときに、前面ドアで駆動されたスライダがスライドし、上記軸線を中心として回動自在の可動壁を押圧することにより、この可動壁が、ドア背壁が前方から当接可能な位置に駆動される。そして、前面ドアの閉鎖動作の途中で、ドア背壁が可動壁に前方から当接し、その後さらに前面ドアの閉鎖動作が継続することにより、可動壁がドア背壁によって押圧されながら通路画成位置に駆動される。つまり、ドア背壁の可動壁への当接後、可動壁は、ドア背壁によって通路画成位置まで駆動され、その位置でドア背壁によって前方から支持される。したがって、前面ドアが完全に閉鎖された状態では、通路画成位置に達した可動壁をドア背壁でしっかりと支持することができる。加えて、通路画成位置の可動壁をドア背壁とほぼ面一にすることが可能であり、それにより、ドア背壁および可動壁によって、段差のない平滑な通路壁を構成することができる。
【００１８】
本発明の請求項５に係る自動販売機は、前面が開口した販売機本体と、この販売機本体の内部に設けられ、複数の商品を収納するとともに、販売時に商品を前方へ払い出す商品収納払出し装置と、販売機本体の左右方向の一端部に、上下方向に延びる軸線を中心として回動自在に取り付けられ、販売機本体の前面を開閉する前面ドアと、この前面ドアの背面側に設けられ、前面ドアが閉鎖された状態で、販売機本体に収容されるとともに商品収納払出し装置に対向し、商品収納払出し装置との間に商品収納払出し装置から払い出された商品を下方へ案内する商品通路を画成するためのドア背壁と、販売機本体の前面ドアの自由端に対向する側壁の内面に、上下方向に延びる軸線を中心として、ドア背壁が前方から当接可能な当接位置と、前面ドアが閉鎖された状態のドア背壁の延長線に沿って延びる通路画成位置との間で回動自在に設けられ、前面ドアが閉鎖されたときに、ドア背壁によって押圧されることにより、当接位置から通路画成位置に駆動される可動壁と、この可動壁を当接位置に付勢する付勢手段と、を備えていることを特徴とする。
【００１９】
この構成によれば、自動販売機の前面ドアは、販売機本体の左右方向の一端部の上下方向に延びる軸線を中心として回動することにより、販売機本体の前面を開閉する。前面ドアの背面側に設けられたドア背壁は、販売機本体に収容されるように構成されているので、前面ドアの開閉の際に、ドア背壁が販売機本体の自由端側側壁に当たることがなく、前面ドアの円滑な開閉を確保することができる。また、前面ドアが閉鎖されたときに、その閉鎖動作の途中で、ドア背壁が当接位置の可動壁に前方から当接し、その後さらに前面ドアの閉鎖動作が継続することにより、可動壁が、付勢手段の付勢力に抗して、ドア背壁によって押圧されながら通路画成位置に駆動される。そして、前面ドアが閉鎖された状態では、ドア背壁が販売機本体に収容されるとともに商品収納払出し装置に対向する一方、可動壁がそのドア背壁の延長線に沿って延びる通路画成位置に位置するとともにドア背壁に前方から支持される。これらのドア背壁と可動壁との協働により、商品収納払出し装置との間に、商品収納払出し装置から払い出された商品を下方へ案内する商品通路が画成される。なお、閉鎖されている前面ドアが開放されたときには、通路画成位置に位置していた可動壁は、付勢手段の付勢力によって、当接位置に復帰する。
【００２０】
以上のように、上記構成の自動販売機によれば、上記請求項１のような可動壁駆動部を用いることなく、前面ドアを閉鎖するだけで、可動壁を通路画成位置に容易に移動させることができ、その結果、請求項１と同様の効果を得ることができる。また、前面ドアが完全に閉鎖された状態では、通路画成位置に達した可動壁をドア背壁でしっかりと支持することができる。加えて、通路画成位置の可動壁をドア背壁とほぼ面一にすることが可能であり、それにより、ドア背壁および可動壁によって、段差のない平滑な通路壁を構成することができる。
【図面の簡単な説明】
【００２１】
【図１】本発明の一実施形態による自動販売機の外観を示す斜視図である。
【図２】本発明の第１実施形態による自動販売機の内部構造を示す正面図であり、メインドアを省略した状態を示す。
【図３】第１実施形態の自動販売機の内部構造を示す平面図であり、メインドアを開放した状態を示す。
【図４】第１実施形態の自動販売機において、メインドアを開放した状態におけるスライダおよび可動壁（可動壁は上端部のみ）を拡大して示す図であり、（ａ）は平面図、（ｂ）は正面図である。
【図５】第１実施形態の自動販売機において、メインドアを閉鎖操作する際のスライダおよび可動壁の動作を説明する説明図であり、（ａ）はメインドアの閉鎖操作の途中で、メインドアがスライダに当接したときの状態を示し、（ｂ）はメインドアを完全に閉鎖したときの状態を示す。
【図６】図５（ｂ）に対応し、メインドアを完全に閉鎖したときの自動販売機の内部構造を示す正面図であり、メインドアを省略した状態を示す。
【図７】本発明の第２実施形態による自動販売機の内部構造を示す正面図であり、メインドアを省略した状態を示す。
【図８】第２実施形態の自動販売機の内部構造を示す平面図であり、メインドアを開放した状態を示す。
【図９】第２実施形態の自動販売機において、メインドアを開放した状態におけるスライダおよび可動壁（可動壁は上端部のみ）を拡大して示す図であり、（ａ）は平面図、（ｂ）は正面図である。
【図１０】第２実施形態の自動販売機において、メインドアを閉鎖操作する際のスライダおよび可動壁の動作を説明する説明図であり、メインドアの閉鎖操作の途中で、ドアリンクの先端部がスライダのロッド部に当接したときの状態を示す。
【図１１】図１０に続く説明図であり、スライダが可動壁に当接したときの状態を示す。
【図１２】図１１に続く説明図であり、可動壁が当接位置に回動したときの状態を示す。
【図１３】図１２に続く説明図であり、（ａ）はメインドア側のコラムドアが可動壁に当接したときの状態を示し、（ｂ）はメインドアを完全に閉鎖したときの状態を示す。
【図１４】図１３（ｂ）に対応し、メインドアを完全に閉鎖したときの自動販売機の内部構造を示す正面図であり、メインドアを省略した状態を示す。
【図１５】本発明の第３実施形態による自動販売機の内部構造を示す正面図であり、メインドアを省略した状態を示す。
【図１６】第３実施形態の自動販売機の内部構造を示す平面図であり、メインドアを開放した状態を示す。
【図１７】第３実施形態の自動販売機において、メインドアを閉鎖操作する際の可動壁の動作を説明する説明図であり、（ａ）はメインドアの閉鎖操作の途中で、メインドア側のコラムドアが可動壁に当接したときの状態を示し、（ｂ）はメインドアを完全に閉鎖したときの状態を示す。
【図１８】図１７（ｂ）に対応し、メインドアを完全に閉鎖したときの自動販売機の内部構造を示す正面図であり、メインドアを省略した状態を示す。
【発明を実施するための最良の形態】
【００２２】
以下、図面を参照しながら、本発明の好ましい実施形態を詳細に説明する。図１は、本発明の一実施形態による自動販売機を示している。同図に示すように、この自動販売機１は、たばこなどの箱型の商品を販売するものであり、前面が開口した縦長ボックス状の販売機本体２と、この販売機本体２の前面を開閉するメインドア３（前面ドア）とを備えている。
【００２３】
図２に示すように、販売機本体２は、鉄板などの金属板を組立加工して形成され、前面が開口した縦長ボックス状のケース４と、このケース４に内蔵され、多数の商品Ｓを収納するとともに、販売時に商品Ｓを１つずつ払い出す商品収納払出し装置５Ａとを有している。この商品収納払出し装置５Ａは、上下方向に延びるとともに、ケース４内の左右方向の幅一杯に並設された複数（本実施形態では６つ）の商品コラム６Ａと、各商品コラム６Ａごとに、互いに上下方向に間隔を隔てて配置された３つの商品払出し装置７Ａとを有している。
【００２４】
各商品コラム６Ａは、前面が開口しており、商品Ｓが前方から補充可能に構成されている。そして、商品コラム６Ａ内では、多数の商品が横倒しでかつ上下方向に積み重なった状態に収納され、上段、中段および下段の最下位の商品Ｓがそれぞれ、商品払出し装置７Ａに載置される。つまり、この商品収納払出し装置５Ａは、各商品コラム６Ａに、互いに異なる銘柄の商品Ｓを、上段、中段および下段にそれぞれ収納し、払い出し可能に構成されている。また、詳説は省略するが、各商品払出し装置７Ａは、その上面に載置された最下位の商品Ｓを、販売時に後方から押圧し、前方の後述する商品通路１０に払い出すいわゆるプッシャタイプのものである。
【００２５】
また、商品収納払出し装置５Ａの前面には、互いに隣接する３つの商品コラム６Ａごとに、それらの前面を開閉自在の左右２つのコラムドア８、８が設けられている。各コラムドア８は、左右方向の一端部に設けられた図示しないヒンジにより、上下方向に延びる軸線を中心として回動自在に構成されている。また、各コラムドア８の上段および中段の商品払出し装置７Ａ、７Ａの付近には、商品コラム６Ａの上段および中段に収納された商品Ｓを前方へ払い出すための開口部８ａが形成されている。
【００２６】
このように構成された商品収納払出し装置５Ａは、図３に示すように、ケース４の前面との間に、所定の奥行き寸法を有するスペース１１を存した状態で、すなわち、ケース４内の奥まった位置に配置されている。ケース４内のスペース１１の下方には、販売時に商品収納払出し装置５Ａまたはメインドア３側の後述する商品収納払出し装置５Ｂから払い出された商品Ｓを、商品取出口１２に案内するシュート１３が設けられている。
【００２７】
このシュート１３は、図２および図３に示すように、販売機本体２の内方に向かって前下がりに傾斜した左側壁１３ａおよび右側壁１３ｂと、これらの側壁１３ａ、１３ｂに連なり、前方に向かって前下がりに傾斜した底壁１３ｃとで構成されている。そして、メインドア３を閉鎖した状態では、シュート１３がメインドア３側の商品取出口１２に連通するようになっている。
【００２８】
また、ケース４の右側壁４ａの内面には、上下方向に延びる支軸１４（軸線）を介して回動自在の可動壁１５が取り付けられている一方、ケース４の天井壁４ｂの下面には、左右方向にスライド自在で、メインドア３の閉鎖操作に連動して、可動壁１５を駆動するスライダ１６（可動壁駆動部、駆動部材）が取り付けられている。
【００２９】
可動壁１５は、図２〜図４に示すように、上下方向に延びる可動壁本体２１と、この可動壁本体２１の上面に固定され、スライダ１６の後述する右ローラ２４に係合するカム板２２とを有している。可動壁本体２１は、所定形状の鉄板などの金属板を曲げ加工することなどで形成され、図２に示すように、商品収納払出し装置５Ａの上端付近と、コラムドア８の下端付近との間で延びている。また、可動壁本体２１は、図４に示すように、横幅が比較的長い長辺部２１ａと、その先端部から直角に屈曲して延び、長辺部２１ａよりも短い（長辺部２１ａの１／３程度）短辺部２１ｂとを有している。
【００３０】
一方、カム板２２は、可動壁本体２１の上面に立設するように固定され、図４（ａ）に示すように、支軸１４側から長辺部２１ａに沿って、短辺部２１ｂ側に延びる基端部２２ａと、この基端部２２ａの先端部から、長辺部２１ａの反対側に屈曲し、傾斜して延びる傾斜部２２ｂと、この傾斜部２２ｂの先端部から、長辺部２１ａに沿って、短辺部２１ｂ付近まで延びる先端部２２ｃとで構成されている。そして、このカム板２２の側面（図４（ａ）では右側面）に、スライダ１６の右ローラ２４が接した状態で係合している。
【００３１】
このように構成された可動壁１５は、上記支軸１４を中心として、ケース４の右側壁４ａの内面に沿って、前後方向に延びる退避位置（図２〜４などに示す位置）と、ケース４の内方に突出し、後述する商品通路１０をメインドア３側のコラムドア４１と協働して画成する通路画成位置（図５（ｂ）および図６に示す位置）との間で回動可能になっている。なお、可動壁１５の支軸１４には、図示しないねじりコイルばねが設けられており、そのばねによって、可動壁１５が退避位置側に付勢されている。
【００３２】
スライダ１６は、鉄板などの金属板からなり、左右方向に延びる本体部１６ａと、この本体部１６ａの左右両端部からそれぞれ前方に延びる左延設部１６ｂおよび右延設部１６ｃとで、平面形状がコ字状に形成されている。なお、右延設部１６ｃは、前後方向の寸法が左延設部１６ｂのそれよりも、若干短くなっている。
【００３３】
本体部１６ａは、ケース４の天井壁４ｂの下面に、図示しない取付金具を介して、左右方向にスライド自在に取り付けられている。また、左延設部１６ｂは、本体部１６ａの左端部から上方に直角に屈曲し、さらに前方に直角に屈曲するように形成されている。そして、左延設部１６ｂの下面前端部の右隅には、上下方向に延びる支軸２３ａを中心として回転自在のローラ２３（以下「左ローラ」という）が取り付けられている。一方、右延設部１６ｃは、本体部１６ａの右端部から下方に直角に屈曲し、さらに前方に直角に屈曲するように形成されている。そして、右延設部１６ｃの下面前端部の右隅には、左延設部１６ｂと同様に、上下方向に延びる支軸２４ａを中心として回転自在のローラ２４（以下「右ローラ」という）が取り付けられている。なお、図４（ｂ）に示すように、左ローラ２３は、本体部１６ａよりも若干高い位置に取り付けられる一方、右ローラ２３は、本体部１６ａよりも若干低い位置に取り付けられている。
【００３４】
このように構成されたスライダ１６は、ケース４の右側壁４ａに接近した位置（図２、３、５（ａ）に示す位置）と、右側壁４ａから離れた位置（図５（ｂ）に示す位置）との間で、左右方向にスライド可能である。なお、このスライダ１６は、図示しないばねなどにより、右側壁４ａ側に付勢されている。
【００３５】
図１および図３に示すように、メインドア３は、ケース４の左前端部に、上下方向に延びる回動軸３１ａを有する上下のヒンジ３１（図１では上側のヒンジのみ図示、図３では回動軸のみ図示）を介して、回動自在に取り付けられている。また、メインドア３は、正面形状が縦長矩形状のドア本体３２と、その背面側に設けられ、上述した販売機本体２内の商品収納払出し装置５Ａと同様に構成された商品収納払出し装置５Ｂとを有している。
【００３６】
図１に示すように、ドア本体３２の前面の上半部には、多数の商品サンプル３３を展示した商品ディスプレイ３４が設けられるとともに、各商品サンプル３３の下方にそれぞれ、商品選択ボタン３５が配置されている。また、ドア本体３２の前面の右端部には、紙幣挿入口３６、硬貨投入口３７および返却レバー３８が設けられるとともに、それらの下方に、硬貨返却口３９が設けられている。さらに、ドア本体３２の前面の下部には、上記商品取出口１２が設けられている。
【００３７】
図３に示すように、メインドア３の商品収納払出し装置５Ｂは、上下方向に延びるとともに、ドア本体３２の左右方向に並設された複数（本実施形態では４つ）の商品コラム６Ｂと、各商品コラム６Ｂごとに、その下端部、あるいはこれに加えて上下方向の所定位置に配置された商品払出し装置７Ｂとを有している。なお、図３に示す符号４０は、自動販売機１の各種の設定を行うためのコントローラなどを収容するコントローラ収容部である。
【００３８】
商品収納払出し装置５Ｂの商品コラム６Ｂは、その上端が販売機本体２側の商品コラム６Ａよりも若干高く、上記コントローラ収容部４０を含め、全体として、ドア本体３２の自由端から所定間隔を隔てた状態に配置されている。各商品コラム６Ｂは、ドア本体３２と反対側の面である背面が開口しており、多数の商品が、販売機本体２側の商品コラム６Ａと同様に収納される。
【００３９】
また、商品収納払出し装置５Ｂの背面側には、コントローラ収容部４０を含め、商品コラム６Ｂの背面を開閉するコラムドア４１（ドア背壁）が設けられている。このコラムドア４１は、上下方向に延びる支軸４２ａを有するヒンジ４２を介して、メインドア３に支軸４２ａを中心として回動自在に取り付けられている。また、コラムドア４１は、正面形状が縦長矩形の平板状に形成されており、販売機本体２側のコラムドア８と同様に、商品払出し装置７Ｂの付近に、商品Ｓを払い出すための開口部（図示せず）を有している。このように構成されたコラムドア４１は、図３に示すように、常時は、実線で示すように閉鎖されており、各商品コラム６Ｂへの商品の補充の際に、メインドア３を開放した状態で、２点鎖線で示すように開放される。
【００４０】
以上のように構成された自動販売機１では、図５（ｂ）に示すように、メインドア３を閉鎖した状態において、販売機本体２側の商品収納払出し装置５Ａと、メインドア３側の商品収納払出し装置５Ｂとの間に、販売時にこれらの商品収納払出し装置５Ａ、５Ｂから払い出された商品Ｓを下方へ案内する商品通路１０が画成される。より具体的には、メインドア３側のコラムドア４１および可動壁１５と、販売機本体２側のコラムドア８、８とでそれぞれ、前後方向に所定距離を有する商品通路１０の前後の通路壁を構成する。
【００４１】
次に、図３、図５および図６を参照して、メインドア３を閉鎖操作したときの可動壁１５の動作について説明する。なお、メインドア３の閉鎖操作を開始する前、すなわちメインドア３が開放された状態では、図３に示すように、可動壁１５が退避位置に位置する一方、スライダ１６がケース４の右側壁４ａに接近した位置に位置している。
【００４２】
この状態から、メインドア３を販売機本体２側へ回動させると、図５（ａ）に示すように、メインドア３側の商品収納払出し装置５Ｂがケース４内にほぼ収容されたときに、その商品収納払出し装置５Ｂの左側面が、スライダ１６の左ローラ２３に当接する。その後さらに、メインドア３を回動させると、スライダ１６が商品収納払出し装置５Ｂで押圧され、左方へスライドする。この場合、可動壁１５のカム板２２に係合するスライダ１６の右ローラ２４が、カム板２２の右側面上を、基端部２２ａから傾斜部２２ｂ、そして先端部２２ｃへと転動し、これにより、可動壁１５が通路画成位置に向かって回動する。そして、メインドア３を完全に閉鎖したときには、同図（ｂ）および図６に示すように、可動壁１５が通路画成位置に到達し、メインドア３側の商品収納払出し装置５Ｂとケース４の右側壁４ａとの間のいわゆる逃げスペース４３を閉鎖する。
【００４３】
この場合、可動壁１５の長辺部２１ａは、メインドア３側のコラムドア４１の延長線に沿って延びるように、コラムドア４１とほぼ面一となり、このコラムドア４１とともに、商品通路１０の前側の通路壁を構成する。
【００４４】
なお、閉鎖しているメインドア３を開放すると、図示しないばねにより、図３に示すように、スライダ１６がケース４の右側壁に接近する位置に復帰するとともに、可動壁１５が退避位置に復帰する。
【００４５】
以上詳述したように、本実施形態によれば、メインドア３の背面側に設けられた商品収納払出し装置５Ｂおよびコラムドア４１が、ドア本体３２の自由端から所定間隔を隔てた状態に配置されているので、メインドア３の開閉の際に、コラムドア４１がケース４の右側壁４ａに当たることがなく、メインドア３の円滑な開閉を確保することができる。
【００４６】
また、メインドア３が閉鎖操作されると、スライダ１６を介して、退避位置の可動壁１５が通路画成位置まで駆動され、メインドア３が完全に閉鎖された状態では、メインドア３側のコラムドア４１と可動壁１５との協働により、商品通路１０が画成される。このように、メインドア３を閉鎖操作するだけで、可動壁１５を通路画成位置に容易に移動させることができ、商品通路１０を介して、販売機本体２側の商品収納払出し装置５Ａから払い出された商品Ｓを、下方へ適切に案内することができる。特に、販売機本体２側の商品収納払出し装置５Ａの商品コラム６Ａのうち、ケース４の右側壁４ａに最も近い右端の商品コラム６Ａの上段あるいは中段から商品Ｓが払い出された場合でも、その商品Ｓが逃げスペース４３に払い出されることがなく、可動壁１５によって、下方へ適切に案内され、その結果、商品詰まりを防止することができる。
【００４７】
さらに、メインドア３が開放された状態では、可動壁１５が、ケース４の右側壁４ａの内面に沿う退避位置に位置するので、商品収納払出し装置５Ａへの商品Ｓの補充の際に、可動壁１５が邪魔になることがなく、商品の補充を容易に行うことができる。
【００４８】
次に、図７〜図１４を参照しながら、本発明の第２実施形態について説明する。この実施形態では、上述した第１実施形態に対し、主に可動壁およびスライダの構造が異なっており、以下の説明では、第１実施形態と同じ構成部品については、同一の符号を付して、その説明を省略する。
【００４９】
本実施形態の可動壁５０は、ケース４の右側壁４ａの内面に、上下方向に延びる支軸１４を介して回動自在に取り付けられている。この可動壁５０は、図７〜図９に示すように、上下方向に延びる可動壁本体５１と、この可動壁本体５１の上部に取り付けられた支持ローラ５２とを有している。可動壁本体５１は、所定形状の鉄板などの金属板を曲げ加工することなどで形成され、図７に示すように、商品収納払出し装置５Ａの上端よりも若干高い位置と、コラムドア８の下端付近との間で延びている。また、この可動壁本体５１は、図９に示すように、上記第１実施形態の可動壁本体２１の長辺部２１ａとほぼ同じ幅寸法を有する長辺部５１ａと、この長辺部５１ａの上端部からケース４の右側壁４ａ側に直角に屈曲し、さらに直角に屈曲して上方に延び、後述するスライダ５４の当接ローラ５６が当接可能な被当接部５１ｂとを有している。
【００５０】
一方、支持ローラ５２は、可動壁本体５１の長辺部５１ａに、取付金具５３を介して、上下方向に延びる支軸５２ａを中心として回転自在に取り付けられている。より具体的には、この支持ローラ５２は、可動壁本体５１の前方に、かつ、販売機本体２側のコラムドア８の上側の開口部８ａよりも若干高い位置に取り付けられている。
【００５１】
このように構成された可動壁５０は、上記第１実施形態の可動壁１５と同様に、支軸１４を中心として、ケース４の右側壁４ａの内面に沿って、前後方向に延びる退避位置（図７〜９などに示す位置）と、通路画成位置（図１３（ｂ）および図１４に示す位置）との間で回動可能になっており、図示しないねじりコイルばねによって、退避位置側に付勢されている。また、図８に示すように、メインドア３が開放された状態では、可動壁５０が退避位置に位置しており、この場合、支持ローラ５２は、メインドア３の回動軸３１ａを中心とするコラムドア４１の自由端の軌跡Ｔ（１点鎖線で示す軌跡）の外側に位置している。
【００５２】
スライダ５４（可動壁駆動部、駆動部材）は、鉄板などの金属板からなり、平面形状がほぼ横長矩形状に形成された本体部５４ａと、この本体部５４ａの右端寄りの位置に固定され、前後方向に延びるロッド部５４ｂと、本体部５４ａの下面の右前端部に、取付金具５５を介して取り付けられた当接ローラ５６とを有している。本体部５４ａは、ケース４の天井壁４ｂの下面に、図示しない取付金具を介して、左右方向にスライド自在に取り付けられている。
【００５３】
ロッド部５４ｂは、小径の金属棒からなり、図９に示すように、ロッド部５４ｂの後半部が、本体部５４ａの右端寄りの位置に形成された前後の切起し部５４ｃ、５４ｃに挿入された状態で固定されている。また、このロッド部５４ｂは、図８に示すように、ケース４の天井壁４ｂに形成された後述するガイド溝４ｃを横切るように、前方に延びている。
【００５４】
当接ローラ５６は、図９に示すように、本体部５４ａの前方にかつロッド部５４ｂの右方に、上下方向に延びる支軸５６ａを中心として回転自在に設けられている。そして、後述するように、スライダ５４が右方の可動壁５０側へスライドしたときに、当接ローラ５６が可動壁５０の上端部の被当接部５１ｂに当接可能になっている。
【００５５】
このように構成されたスライダ５４は、ケース４の右側壁４ａから離れた位置（図７、８などに示す位置）と、右側壁４ａに接近した位置（図１３に示す位置）との間で、左右方向にスライド可能である。なお、このスライダ５４は、図示しないばねなどにより、右側壁４ａから離れる方向（左方）に付勢されている。
【００５６】
図８に示すように、ケース４の天井壁４ｂには、可動壁５０の支軸１４付近と、天井壁４ｂの左側前端部との間に、斜めに延びるガイド溝４ｃが形成されている。このガイド溝４ｃには、それよりも下方に突出し、ガイド溝４ｃに案内されるガイド突出部５７が設けられている。そして、このガイド突出部５７の下端部と、メインドア３のドア本体３２と商品収納払出し装置５Ｂの間の上面の所定位置との間に、両端部がそれぞれ回動自在に連結されたドアリンク５８が取り付けられている。したがって、メインドア３の開閉の際には、ドアリンク５８を介して、ガイド突出部５７がガイド溝４ｃに沿って移動する。
【００５７】
次に、図８および図１０〜１４を参照して、メインドア３を閉鎖操作したときの可動壁５０の動作について説明する。なお、閉鎖操作開始前のメインドア３が開放した状態では、図８に示すように、可動壁５０が退避位置に位置する一方、スライダ５４がケース４の右側壁４ａから離れた位置に位置している。また、ガイド突出部５７は、ガイド溝４ｃの前端寄りに位置している。
【００５８】
この状態から、メインドア３を販売機本体２側へ回動させると、ガイド突出部５７が、ガイド溝４ｃに案内されながら、その後端に向かって移動し、図１０に示すように、スライダ５４のロッド部５４ｂに左方から当接する。その後さらに、メインドア３を回動させると、ガイド突出部５７がガイド溝４ｃの後端に向かってさらに移動することにより、ロッド部５４ｃを左方から押圧する。これにより、図１１に示すように、スライダ５４が右方の可動壁５０側にスライドし、当接ローラ５６が可動壁５０の被当接部５１ｂに左方から当接する。
【００５９】
その後さらに、メインドア３を回動させると、スライダ５４がさらに右方に若干スライドし、当接ローラ５６が可動壁５０の被当接部５１ｂを右方の右側壁４ａ側に押圧する。これにより、図１２に示すように、可動壁５０は、支軸１４を中心として、時計方向に若干回動し、それにより、可動壁５０の支持ローラ５２が、コラムドア４１の自由端の軌跡Ｔ上、あるいはその軌跡Ｔの内方に到達する。
【００６０】
そして、さらにメインドア３を回動させると、図１３（ａ）に示すように、コラムドア４１が可動壁５０の支持ローラ５２に前方から当接する。その後さらに、メインドア３を回動させると、支持ローラ５２を介して、可動壁５０がコラムドア４１で前方から押圧され、通路画成位置に向かって回動する。そして、メインドア３を完全に閉鎖したときには、同図（ｂ）および図１４に示すように、可動壁５０が通路画成位置に到達し、第１実施形態と同様に、逃げスペース４３を閉鎖する。
【００６１】
この場合、可動壁５０の長辺部５１ａは、第１実施形態と同様に、メインドア３側のコラムドア４１の延長線に沿って延びるように、コラムドア４１とほぼ面一となり、これとともに、商品通路１０の前側の通路壁を構成する。またこの場合、可動壁５０は、支持ローラ５２を介して、コラムドア４１に前方から支持される。
【００６２】
以上詳述したように、この第２実施形態によれば、第１実施形態と同様に、メインドア３の円滑な開閉を確保できるとともに、商品詰まりを防止することができる。また、メインドア３が完全に閉鎖された状態では、通路画成位置に達した可動壁５０を、メインドア３側のコラムドア４１でしっかりと支持することができ、このコラムドア４１と可動壁５０によって、段差のない平滑な通路壁を容易に構成することができる。
【００６３】
次に、図１５〜図１８を参照しながら、本発明の第３実施形態について説明する。この実施形態の自動販売機では、前述した第１および第２実施形態と異なり、スライダを用いることなく、メインドア３の閉鎖操作のみで、可動壁を通路画成位置に移動させるものである。なお、この第３実施形態の以下の説明においても、第１および第２実施形態と同じ構成部品については、同一の符号を付して、その説明を省略する。
【００６４】
本実施形態の可動壁６０は、ケース４の右側壁４ａの内面に、上下方向に延びる支軸１４を介して回動自在に取り付けられており、上下方向に延びる可動壁本体６１と、その上部に取り付けられた支持ローラ５２とを有している。可動壁本体６１は、細長い鉄板などの金属板で形成され、図１５に示すように、商品収納払出し装置５Ａの上端よりも低い位置と、コラムドア８の下端付近との間で延びている。また、この可動壁本体６１は、第１および第２実施形態の可動壁本体２１、５１の長辺部２１ａ、５１ａとほぼ同じ幅寸法を有している。そして、図１６に示すように、可動壁本体６１の後端部が、上記支軸１４に回動自在に支持される一方、可動壁本体６１の前端部に、支持ローラ５２が取り付けられている。
【００６５】
この支持ローラ５２は、第２実施形態と同様に、取付金具５３を介して、コラムドア８の上側の開口部８ａよりも若干高い位置に、上下方向に延びる支軸５２ａを中心として回転自在に取り付けられている。
【００６６】
このように構成された可動壁６０は、支軸１４を中心として、可動壁本体６１がケース４の右側壁４ａの内面に沿うように延びるとともに支持ローラ５２がコラムドア４１の自由端の軌跡Ｔ上あるいはその内方に位置する当接位置（図１５および図１６などに示す位置）と、通路画成位置（図１７（ｂ）および図１８に示す位置）との間で回動可能になっている。この可動壁６０が、支軸１４に設けられた図示しないねじりコイルばねによって、通路画成位置と異なる位置である当接位置側に付勢されるのは、第１および第２実施形態と同様である。
【００６７】
なお、図１５および図１６に示すように、可動壁６０が当接位置に位置した状態では、可動壁本体６１は、ケース４の右側壁４ａの内面に対し、前方に向かって、ケース４の内方に若干傾斜する一方、支持ローラ５２は、商品収納払出し装置５Ａの右端よりも若干内方（左方）に位置している。しかし、この場合、可動壁本体６１の前端が、商品収納払出し装置５Ａの右端とほぼ同じ位置に位置し、支持ローラ５２のみが、右端の商品コラム６Ａの上段の前方で、これに若干重なる程度であるので、その商品コラム６Ａへの商品補充の際に、支持ローラ５２が若干邪魔になるものの、商品収納払出し装置５Ａへの商品補充全体としてはそれほど問題にはならない。
【００６８】
次に、図１６〜図１８を参照して、メインドア３を閉鎖操作したときの可動壁６０の動作について説明する。なお、開閉操作開始前のメインドア３が開放した状態では、図１６に示すように、可動壁６０が当接位置に位置している。
【００６９】
この状態から、メインドア３を販売機本体２側へ回動させると、図１７（ａ）に示すように、メインドア３側のコラムドア４１が、可動壁６０の支持ローラ５２に前方から当接する。その後さらに、メインドア３を回動させると、支持ローラ５２を介して、可動壁６０が前方から押圧され、通路画成位置に向かって回動する。そして、メインドア３を完全に閉鎖したときには、同図（ｂ）および図１８に示すように、可動壁６０が通路画成位置に到達し、第１および第２実施形態と同様に、逃げスペース４３を閉鎖する。
【００７０】
この場合、可動壁６０は、第２実施形態と同様に、支持ローラ５２を介して、コラムドア４１に前方から支持されるとともに、メインドア３側のコラムドア４１の延長線に沿って延びるように、コラムドア４１とほぼ面一となり、これとともに、商品通路１０の前側の通路壁を構成する。
【００７１】
以上詳述したように、この第３実施形態によれば、第１および第２実施形態のようなスライダ１６、５４を用いることなく、第１および第２実施形態と同様の効果、すなわち、メインドア３の円滑な開閉を確保できるとともに、商品詰まりを防止することができる。また、第２実施形態と同様に、メインドア３が完全に閉鎖された状態では、通路画成位置の可動壁６０を、メインドア３側のコラムドア４１でしっかりと支持することができ、このコラムドア４１と可動壁６０によって、段差のない平滑な通路壁を容易に構成することができる。
【００７２】
なお、本発明は、説明した各実施形態に限定されることなく、種々の態様で実施することができる。各実施形態では、販売機本体２側に加えて、メインドア３側にも商品収納払出し装置５Ｂを備えた自動販売機について説明したが、本発明はこれに限定されるものではなく、メインドア側に商品収納払出し装置が設けられていない自動販売機に適用することも可能である。また、各実施形態では、可動壁１５、５０、６０をいずれも、販売機本体２側に設けたが、メインドア３の円滑な開閉を確保するとともに、メインドア３が完全に閉鎖された状態において、逃げスペース４３が閉鎖されればよく、可動壁をメインドア３側に設け、その閉鎖操作に連動して、逃げスペース４３を閉鎖するように構成してもよい。さらに、適当な駆動源や駆動機構を設けて、メインドア３が完全に閉鎖されたときに、それらの駆動源や駆動機構によって、可動壁が通路画成位置に駆動されるように構成してもよい。
【００７３】
また、実施形態で示した可動壁１５、５０、６０やスライダ１６、５４の細部の構成などは、あくまで例示であり、本発明の趣旨の範囲内で適宜、変更することができる。
【符号の説明】
【００７４】
１  自動販売機
２  販売機本体
３  メインドア（前面ドア）
４  ケース
４ａ  ケースの右側壁
５Ａ  販売機本体側の商品収納払出し装置
５Ｂ  メインドア側の商品収納払出し装置
８  コラムドア
１０  商品通路
１４  可動壁の支軸（軸線）
１５、５０、６０  可動壁
１６、５４  スライダ（可動壁駆動部、駆動部材）
３１  ヒンジ
３１ａ  ヒンジの回動軸（軸線）
４１  コラムドア（ドア背壁）
４３  逃げスペース
５２  支持ローラ
Ｓ  商品
【図１】
2005258963.tif 000003
【図２】
2005258963.tif 000004
【図３】
2005258963.tif 000005
【図４】
2005258963.tif 000006
【図５】
2005258963.tif 000007
【図６】
2005258963.tif 000008
【図７】
2005258963.tif 000009
【図８】
2005258963.tif 000010
【図９】
2005258963.tif 000011
【図１０】
2005258963.tif 000012
【図１１】
2005258963.tif 000013
【図１２】
2005258963.tif 000014
【図１３】
2005258963.tif 000015
【図１４】
2005258963.tif 000016
【図１５】
2005258963.tif 000017
【図１６】
2005258963.tif 000018
【図１７】
2005258963.tif 000019
【図１８】
2005258963.tif 000020